【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】  ガスタービンと蒸気タービンを組み合わせ吸気ダクトを備えたタービンプラントに、排熱回収ボイラを組み合せたコンバインドサイクル発電プラントにおいて、上記ガスタービンに設けたガスタービン燃焼器に導く燃料を加熱して供給する燃料加熱装置をタービン建屋内部に設置することを特徴とするコンバインドサイクル発電プラント。
【請求項２】  請求項１記載のコンバインドサイクル発電プラントにおいて、燃料を制御する制御部を収容する燃料ガス室を前記タービン建屋内部に設置することを特徴とするコンバインドサイクル発電プラント。
【請求項３】  ガスタービンと蒸気タービンを組み合わせ吸気ダクトを備えたタービンプラントに、排熱回収ボイラを組み合せたコンバインドサイクル発電プラントにおいて、上記ガスタービンに設けたガスタービン燃焼器に導く燃料を加熱して供給する燃料加熱装置をタービン建屋外部に設置することを特徴とするコンバインドサイクル発電プラント。
【請求項４】  燃料加熱装置は、タービン建屋と排熱回収ボイラとの間に設置することを特徴とする請求項３記載のコンバインドサイクル発電プラント。
【請求項５】  請求項３または４のいずれか１項記載のコンバインドサイクル発電プラントにおいて、上記ガスタービンに設けたガスタービン燃焼器に導く燃料を加熱して供給する燃料加熱装置と、燃料を制御する制御部を収容する燃料ガス室とをタービン建屋外部に設置することを特徴とするコンバインドサイクル発電プラント。
【請求項６】  請求項３または４のいずれか１項記載のコンバインドサイクル発電プラントにおいて、燃料を制御する制御部を収容する燃料ガス室をタービン建屋内部に設置することを特徴とするコンバインドサイクル発電プラント。
【請求項７】  燃料加熱装置は、ガスタービン燃焼器と燃料ガス室との間に設置することを特徴とする請求項２，５または６記載のコンバインドサイクル発電プラント。
【請求項８】  燃料加熱装置は、燃料ガス室と排熱回収ボイラの間に設置することを特徴とする請求項２，５または６記載のコンバインドサイクル発電プラント。
【請求項９】  請求項１から８のいずれか１項記載のコンバインドサイクル発電プラントにおいて、上記ガスタービンに設けたガスタービン燃焼器、このガスタービン燃焼器に燃料を加熱して供給する燃料加熱装置、および上記排熱回収ボイラを、上記タービンプラント内を流通するガス流の流れ方向を基準にとった軸方向の上流側から下流側に向って順に配置したことを特徴とするコンバインドサイクル発電プラント。
【請求項１０】  燃料加熱装置は、燃料ガス室と少なくとも同一レベルの高さ位置に設置することを特徴とする請求項１から９のいずれか１項記載のコンバインドサイクル発電プラント。
【請求項１１】  燃料加熱装置は、ガスタービンと少なくとも同一レベルの高さ位置に設置することを特徴とする請求項１から１０のいずれか１項記載のコンバインドサイクル発電プラント。
【請求項１２】  請求項１から９のいずれか１項記載のコンバインドサイクル発電プラントにおいて、上記ガスタービンに設けたガスタービン燃焼器に燃料を加熱して供給する燃料加熱装置、上記ガスタービン燃焼器に供給する燃料を制御する制御部を収容する燃料ガス室、および上記ガスタービンを、上記タービンプラントの高さ方向に沿って順に配置したことを特徴とするコンバインドサイクル発電プラント。
【請求項１３】  請求項１から９のいずれか１項記載のコンバインドサイクル発電プラントにおいて、上記ガスタービンに設けたガスタービン燃焼器に供給する燃料を制御する制御部を収容する燃料ガス室、上記ガスタービン燃焼器に燃料を加熱して供給する燃料加熱装置、および上記ガスタービンを上記タービンプラントの高さ方向に沿って順に配置したことを特徴とするコンバインドサイクル発電プラント。
【請求項１４】  燃料加熱装置は、吸気ダクトの吸気口から遠方に離して設置することを特徴とする請求項１から１３のいずれか１項記載のコンバインドサイクル発電プラント。
【請求項１５】  燃料加熱装置は、吸気ダクトの吸気口よりも高さ方向に沿って上部に設置することを特徴とする請求項１から１３のいずれか１項記載のコンバインドサイクル発電プラント。
【請求項１６】  請求項１から５，７から１１，１４または１５のいずれか１項記載のコンバインドサイクル発電プラントにおいて、上記ガスタービンに設けたガスタービン燃焼器に燃料を加熱して供給する燃料加熱装置と、燃料を制御する制御部を収容する燃料ガス室とを一体として組み合わせた燃料ユニットとして形成することを特徴とするコンバインドサイクル発電プラント。
【手続補正２】
【補正対象書類名】明細書
【補正対象項目名】０００７
【補正方法】変更
【補正の内容】
【０００７】
また、本発明に係るコンバインドサイクル発電プラントは、上述の目的を達成するために、請求項２に記載したように、請求項１記載のコンバインドサイクル発電プラントにおいて、燃料を制御する制御部を収容する燃料ガス室を前記タービン建屋内部に設置するものである。
【手続補正３】
【補正対象書類名】明細書
【補正対象項目名】００１０
【補正方法】変更
【補正の内容】
【００１０】
また、本発明に係るコンバインドサイクル発電プラントは、上述の目的を達成するために、請求項５に記載したように、請求項３または４のいずれか１項記載のコンバインドサイクル発電プラントにおいて、上記ガスタービンに設けたガスタービン燃焼器に導く燃料を加熱して供給する燃料加熱装置と、燃料を制御する制御部を収容する燃料ガス室とをタービン建屋外部に設置するものである。
【手続補正４】
【補正対象書類名】明細書
【補正対象項目名】００１１
【補正方法】変更
【補正の内容】
【００１１】
また、本発明に係るコンバインドサイクル発電プラントは、上述の目的を達成するために、請求項６に記載したように、請求項３または４のいずれか１項記載のコンバインドサイクル発電プラントにおいて、燃料を制御する制御部を収容する燃料ガス室をタービン建屋内部に設置するものである。
【手続補正５】
【補正対象書類名】明細書
【補正対象項目名】００１４
【補正方法】変更
【補正の内容】
【００１４】
また、本発明に係るコンバインドサイクル発電プラントは、上述の目的を達成するために、請求項９に記載したように、請求項１から８のいずれか１項記載のコンバインドサイクル発電プラントにおいて、上記ガスタービンに設けたガスタービン燃焼器、このガスタービン燃焼器に燃料を加熱して供給する燃料加熱装置、および上記排熱回収ボイラを、上記タービンプラント内を流通するガス流の流れ方向を基準にとった軸方向の上流側から下流側に向って順に配置したものである。
【手続補正６】
【補正対象書類名】明細書
【補正対象項目名】００１７
【補正方法】変更
【補正の内容】
【００１７】
また、本発明に係るコンバインドサイクル発電プラントは、上述の目的を達成するために、請求項１２に記載したように、請求項１から９のいずれか１項記載のコンバインドサイクル発電プラントにおいて、上記ガスタービンに設けたガスタービン燃焼器に燃料を加熱して供給する燃料加熱装置、上記ガスタービン燃焼器に供給する燃料を制御する制御部を収容する燃料ガス室、および上記ガスタービンを、上記タービンプラントの高さ方向に沿って順に配置したものである。
【手続補正７】
【補正対象書類名】明細書
【補正対象項目名】００１８
【補正方法】変更
【補正の内容】
【００１８】
また、本発明に係るコンバインドサイクル発電プラントは、上述の目的を達成するために、請求項１３に記載したように、請求項１から９のいずれか１項記載のコンバインドサイクル発電プラントにおいて、上記ガスタービンに設けたガスタービン燃焼器に供給する燃料を制御する制御部を収容する燃料ガス室、上記ガスタービン燃焼器に燃料を加熱して供給する燃料加熱装置、および上記ガスタービンを上記タービンプラントの高さ方向に沿って順に配置したものである。
【手続補正８】
【補正対象書類名】明細書
【補正対象項目名】００２１
【補正方法】変更
【補正の内容】
【００２１】
また、本発明に係るコンバインドサイクル発電プラントは、上述の目的を達成するために、請求項１６に記載したように、請求項１から５，７から１１，１４または１５のいずれか１項記載のコンバインドサイクル発電プラントにおいて、上記ガスタービンに設けたガスタービン燃焼器に燃料を加熱して供給する燃料加熱装置と、燃料を制御する制御部を収容する燃料ガス室とを一体として組み合わせた燃料ユニットとして形成するものである。